(57)【特許請求の範囲】
【請求項１】
ケース１前端部に回転させることにより上下位置変更可能な回転プラグ端子３を設けるとともに該回転プラグ端子３が端子本体４と、該端子本体４の弾性接続部４１より幅方向の少なくとも一方側に膨出させて絶縁機能をもたせた絶縁部５４を備えた絶縁部材５とからなるものとしたことを特徴とする配線用遮断器。
【請求項２】
ケース１前端部に回転させることにより上下位置変更可能な回転プラグ端子３を設けるとともに該回転プラグ端子３が端子部材４と、該端子本体４のより線接続部４３の垂直方向に設けて絶縁機能をもたせた絶縁部５８を備えた絶縁部材５とからなるものとしたことを特徴とする配線用遮断器。
【請求項３】
ケース１前端部に回転させることにより上下位置変更可能な回転プラグ端子３を設けるとともに該回転プラグ端子３が端子部材４と、該端子本体４のより線接続部４３に接続されて回転プラグ端子３の回転軸方向に延びるより線６０の垂直方向に設けて絶縁機能をもたせた絶縁部５９を備えた絶縁部材５とからなるものとしたことを特徴とする配線用遮断器。
【請求項４】
ケース１前端部に固定プラグ端子３ａを固定するとともにケース１前端部に回転させることにより上下位置変更可能な回転プラグ端子３を設け、該回転プラグ端子３が端子本体４と、該端子本体４の弾性接続部４１若しくはより線接続部４３若しくはより線６０とケース１の溝２を通過する回転プラグ端子３が接続されない導電バーとの間に設けて絶縁機能をもたせた絶縁部５０を備えた絶縁部材５とからなることを特徴とする配線用遮断器。
【請求項５】
ケース１前端部に回転させることにより上下位置変更可能な回転プラグ端子３を設けるとともに該回転プラグ端子３が端子本体４と、底部５０ａと少なくとも左右の側壁５０ｂをもつ箱状の絶縁部材５とからなるものとしたことを特徴とする配線用遮断器。
【請求項６】
絶縁部５４が、２個の回転プラグ端子３が隣り合う導電バーに接続された際に、一方の回転プラグ端子３の弾性接続部４１と他方の回転プラグ端子３の弾性接続部４１との直線距離間に配置されることを特徴とする請求項１に記載の配線用遮断器。
【請求項７】
絶縁部５８が、２個の回転プラグ端子３が隣り合う導電バーに接続された際に、一方の回転プラグ端子３のより線接続部４３と他方の回転プラグ端子３の弾性接続部４１との直線距離間に配置されることを特徴とする請求項２に記載の配線用遮断器。
【請求項８】
絶縁部５９が、２個の回転プラグ端子３が隣り合う導電バーに接続された際に、一方の回転プラグ端子３のより線６０と他方の回転プラグ端子３の弾性接続部４１との直線距離間に配置されることを特徴とする請求項３に記載の配線用遮断器。
【請求項９】
ケース１前端部に固定される固定プラグ端子３ａは、絶縁部材５に設けられる回転不能用当接部１０１をケース１に嵌合させて固定されることを特徴とする請求項４に記載の配線用遮断器。
【請求項１０】
回転プラグ端子３は、端子本体４に設けた係合部４４と絶縁部材５に設けた被係合部５３とを係合して組み付けられることを特徴とする請求項１から５に記載の配線用遮断器。
【請求項１１】
回転プラグ端子３の絶縁部材５に、他方の回転プラグ端子３の弾性接続部４１が入り込むための凹部５５が設けられることを特徴とする請求項１から５に記載の配線用遮断器。
【請求項１２】
回転プラグ端子３に前後両方の回転軸が設けられることを特徴とする請求項１から５に記載の配線用遮断器。
【請求項１３】
ケース１の前面板部１４の孔１３は、右半分１１ａと左半分１１ｂとで前面板部１４の位相をずらして形成されることを特徴とする請求項１から５に記載の配線用遮断器。
【請求項１４】
より線接続部４３は弾性接続部４１に対して垂直方向に設けたことを特徴とする請求項１から５に記載の配線用遮断器。
【請求項１５】
絶縁部材５に指を引っかけて操作する回転操作部５６を設けたことを特徴とする請求項１から５に記載の配線用遮断器。
【請求項１６】
ケース１に回転プラグ端子３の端子位置規制部材である回転式または着脱式のカバー９０を設けたことを特徴とする請求項１から５に記載の配線用遮断器。
【請求項１７】
端子位置規制部材のカバー９０を開けるときに回転プラグ端子３を自動的に回動させる弾発部材が設けられることを特徴とする請求項１６に記載の配線用遮断器。
【請求項１８】
弾発部材がより線６０であることを特徴とする請求項１７に記載の配線用遮断器。
【請求項１９】
ケース１に回転プラグ端子３の端子位置規制部材である回転式または着脱式のカバー９０を設けるとともに、回転プラグ端子３を定位置に保持する係合部１６を設けたことを特徴とする請求項１から５に記載の配線用遮断器。
【請求項２０】
固定プラグ端子３ａと回転プラグ端子３との色を異ならせたことを特徴とする請求項４に記載の配線用遮断器。
【請求項２１】
ケース１または回転プラグ端子３の端子位置規制部材である回転式または着脱式のカバー９０に、一体または別体の弾性を備える電圧極表示部または電圧表示部を設けたことを特徴とする請求項１から５に記載の配線用遮断器。
【発明の詳細な説明】
【０００１】
【発明の属する技術分野】
本発明は、プラグ端子を移動させることにより接続する導電バーを選択できるようにしたプラグイン式の配線用遮断器に関するものである。
【０００２】
【従来の技術】
単相３線式配線路に用いられる配線用遮断器は電圧切り替えのためあるいは線路の負荷バランスを取るために、接続される導電バーを変更することができるようにしておく必要がある。通常のねじ端子を備えた配線用遮断器では、導電バーとの間の接続金具を交換することによりこの要求に対応することができるが、平板状の導電バーを上下３段に平行配置したものや平板から櫛状の分岐部を突設した導電バーに接続されるプラグイン式の配線用遮断器では、配線用遮断器のケース前面に形成されたプラグ端子を直接差し込んで接続するため、上記のような接続金具による対応はできず、接続される導電バーを変更するためにプラグ端子の上下方向動作可能なプラグイン式の配線用遮断器が開発されている。
【０００３】
しかし、近年プラグイン式の配線用遮断器及びこの配線用遮断器を搭載した分電盤は小型化求められ、各導電バー間の絶縁距離は非常に短くなり、配線用遮断器に設けられた隣り合う導電バーに接続された状態での各々のプラグイン端子間の絶縁を確保するのが困難になってきた。
【０００４】
【発明が解決しようとする課題】
本発明は上記した従来の問題点を解決し、プラグイン端子間の絶縁距離を確保しつつ、小型化することができる配線用遮断器を提供するためになされたものである。
【０００５】
【発明が解決するための手段】
上記の課題を解決するためになされた本発明の配線用遮断器は、ケース前端部に回転させることにより上下位置変更可能な回転プラグ端子を設けるとともに該回転プラグ端子が端子本体と、該端子本体の弾性接続部より幅方向の少なくとも一方側に膨出させて絶縁機能をもたせた絶縁部材とからなる配線用遮断器を請求項１の発明とし、ケース前端部に回転させることにより上下位置変更可能な回転プラグ端子を設けるとともに該回転プラグ端子が端子部材と、該端子本体のより線接続部の垂直方向に設けて絶縁機能をもたせた絶縁部材とからなる配線用遮断器を請求項２の発明とし、ケース前端部に回転させることにより上下位置変更可能な回転プラグ端子を設けるとともに該回転プラグ端子が端子部材と、該端子本体のより線接続部に接続されて回転プラグ端子３の回転軸方向に延びるより線の垂直方向に設けて絶縁機能をもたせた絶縁部を備えた絶縁部材とからなる配線用遮断器を請求項３の発明とし、ケース前端部に固定プラグ端子を固定するとともにケース前端部に回転させることにより上下位置変更可能な回転プラグ端子を設け、該回転プラグ端子が端子本体と、該端子本体の弾性接続部若しくはより線接続部若しくはより線とケースの溝を通過する回転プラグ端子が接続されない導電バーとの間に設けて絶縁機能をもたせた絶縁部材とからなる配線用遮断器を請求項４の発明とし、ケース前端部に回転させることにより上下位置変更可能な回転プラグ端子を設けるとともに該回転プラグ端子が端子本体と、底部と少なくとも左右の側壁をもつ箱状の絶縁部材とからなる配線用遮断器を請求項５の発明とする。
【０００６】
請求項1の発明において、絶縁部が、２個の回転プラグ端子が隣り合う導電バーに接続された際に、一方の回転プラグ端子の弾性接続部と他方の回転プラグ端子の弾性接続部との直線距離間に配置される配線用遮断器を請求項６の発明とし、請求項２の発明において、絶縁部が、２個の回転プラグ端子が隣り合う導電バーに接続された際に、一方の回転プラグ端子のより線接続部と他方の回転プラグ端子の弾性接続部との直線距離間に配置される配線用遮断器を請求項７の発明とし、請求項３の発明において、絶縁部が、２個の回転プラグ端子が隣り合う導電バーに接続された際に、一方の回転プラグ端子のより線と他方の回転プラグ端子の弾性接続部との直線距離間に配置される配線用遮断器を請求項８の発明とし、請求項４の発明において、ケース前端部に固定される固定プラグ端子は、絶縁部材に設けられる回転不能用当接部をケースに嵌合させて固定される配線用遮断器を請求項９の発明とする。
【０００７】
請求項１から５の発明において、回転プラグ端子は、端子本体に設けた係合部と絶縁部材に設けた被係合部とを係合して組み付けられる配線用遮断器を請求項１０の発明とし、回転プラグ端子の絶縁部材に、他方の回転プラグ端子の弾性接続部が入り込むための凹部が設けられる配線用遮断器を請求項１１の発明とし、回転プラグ端子に前後両方の回転軸が設けられる配線用遮断器を請求項１２の発明とし、ケースの前面板部の孔は、右半分と左半分とで前面板部の位相をずらして形成される配線用遮断器を請求項１３の発明とし、より線接続部は弾性接続部に対して垂直方向に設けた配線用遮断器を請求項１４の発明とし、絶縁部材に指を引っかけて操作する回転操作部を設けた配線用遮断器を請求項１５の発明とし、ケースに回転プラグ端子の端子位置規制部材である回転式または着脱式のカバーを設けた配線用遮断器を請求項１６の発明とする。
【０００８】
請求項１６の発明において、端子位置規制部材のカバーを開けるときに回転プラグ端子を自動的に回動させる弾発部材が設けられる配線用遮断器を請求項１７の発明とし、請求項１７の発明において、弾発部材がより線である配線用遮断器を請求項１８の発明とし、請求項１から５の発明において、ケースに回転プラグ端子の端子位置規制部材である回転式または着脱式のカバーを設けるとともに、回転プラグ端子を定位置に保持する係合部を設けた配線用遮断器を請求項１９の発明とし、請求項４の発明において、固定プラグ端子と回転プラグ端子との色を異ならせた配線用遮断器を請求項２０の発明とし、請求項１から５の発明において、ケースまたは回転プラグ端子の端子位置規制部材である回転式または着脱式のカバーに、一体または別体の弾性を備える電圧極表示部または電圧表示部を設けた配線用遮断器を請求項２１の発明とするものである。
【０００９】
【発明の実施形態】
図１〜図１６は第１の実施形態を示す図であり、右ケース１ａと左ケース１ｂからなる配線用遮断器のケース１の前端部（導電バー側の端部）に、上から順にＮ極、Ｌ１極、Ｌ２極の導電バーがそれぞれ接続される３本の溝２が形成されている。これら溝２の奥側には、回転自在な２個の回転プラグ端子３が上下２段に軸支されている。
【００１０】
各回転プラグ端子３は図７に示すように導電バーに差し込まれる金属製の端子本体４と樹脂性の絶縁部材５とからなっている。
この金属製の端子本体４には図８、９、１０、１１に示されるように、導電バーが差し込まれる略コ字状の弾性接続部４１と、この弾性接続部４１から折り曲げて垂直方向に延びる位置にある導電バーとの当接部４２及びより線接続部４３と、絶縁部材５に係合する係合部４４とが設けられている。この当接部４２は導電バーが直接弾性接続部４１にぶつかると変形するおそれがあるので、これを防ぐものである。また、より線接続部４３は弾性接続部４１に対して垂直方向に設けてあるもので、回転プラグ端子３が回転したときに弾性接続部４１の左右のスペースが不要なので、横幅も広くならず有利である。この実施形態ではより線接続部４３は当接部４２と連設して前側に折り曲げているが、一方側部に当接部４２を前側に折り曲げて他方側部により線接続部４３を後側に折り曲げてもよい。
【００１１】
また、絶縁部材５には、底部５０ａと左右の側壁５０ｂと前後の側壁５０ｃとからなる絶縁部５０がある。加えて、ケース１の中間板部１１の孔１２に軸支するように後面偏心位置に突設させた円形突起５１及び抜け止め５１ａおよびより線挿通用切欠き５１ｂと、ケース１の前面板部１４の孔１３に軸支するように前面位置に突設させた工具による回転操作部５２と、前記端子本体４の係合部４４が係合する被係合部５３と、他方の端子本体４の弾性接続部４１が入り込むための底部５０ａに設けられた凹部５５、指を引っかけて操作できる回転操作部５６であるエッジまたはコーナーエッジまたは凸部、回転プラグ端子３が導電バーに接続される定位置に規制する係合部５７が設けられている。そして、絶縁部材５には、回転自在な２個の回転プラグ端子３が隣り合う導電バーに接続された際に、一方の回転プラグ端子３の導体部分と他方の回転プラグ端子３の導体部分との絶縁、および回転プラグ端子３と、ケース１の溝２を通過する回転プラグ端子３が接続されない導電バーとの間の絶縁をするための底部５０ａ、左右の側壁５０ｂ、前後の側壁５０ｃからなる絶縁部５０を備えており、具体的には図７、８、９、１０に示されるように、２個の回転プラグ端子３が隣り合う導電バーに接続された際に、一方の回転プラグ端子３の弾性接続部４１と他方の回転プラグ端子３の弾性接続部４１の直線距離間に沿面空間距離を増すために設けた回転プラグ端子３の弾性接続部４１より幅方向の少なくとも一方側に突出させて絶縁機能をもたせた絶縁部５４及び、一方の回転プラグ端子３のより線接続部４３と他方の回転プラグ端子３の弾性接続部４１との直線距離間に沿面空間距離を増やすためにより線接続部４３の垂直方向に設けて絶縁機能をもたせた絶縁部５８及び、一方の回転プラグ端子３のより線６０と他方の回転プラグ端子３の弾性接続部４１との直線距離間に沿面空間距離を増やすためにより線６０の垂直方向に設けて絶縁機能をもたせた絶縁部５９等を備えるものである。
【００１２】
より線６０はより線接続部４３に溶着された後、絶縁部材５の本体切欠き部分と円形突起５１に設けたより線挿通用切欠き５１ｂにより線６０をくぐらせて端子本体４の係合部４４と絶縁部材５の被係合部５３とが係合するようにしているのでワンタッチで端子本体４と絶縁部材５を組み付けて回転プラグ端子３とすることができる。回転プラグ端子３は円形突起５１と回転操作部５２とが回転軸となって、ケース１に回転自在に軸支されている。このことによって回転プラグ端子３はケース１の前端部に上下方向に回転できるようになっており、円形突起５１と回転操作部５２との両方が回転軸となっている。このように回転プラグ端子３は前後両方に回転軸があり強固に軸支することができる。この回転操作部５２の前面はケース１の前面板部１４の孔１３から突出しており、例えばプラスドライバなどの工具により各回転プラグ端子３を回転させることができるし、回転操作部５２の前面をさらに突出して手のつまみ部分とすれば簡単に回転させることができる。より線６０は円形突起５１の中空部部分を通り抜けて、このとき円形突起５１を軸支しているケース１の内部を閉鎖している中間板部１１をも通り抜けてケース１の内部につながっているので、ケース１の中間板部１１により線６０を通す孔を別に設けなくてもよく、回転に際してもより線６０が絡まず、引っかかって損傷する恐れもない。
【００１３】
各回転プラグ端子３の回転軸の高さは３本の溝２の中央となっており、上段の回転可動する回転プラグ端子３は上方に回転させるとＮ極の溝２に一致する高さとなり、下方に回転させるとＬ１極の溝２に一致する高さとなる。同様に下段の回転可動する回転プラグ端子３は上方に回転させるとＬ１極の溝２に一致する高さとなり、下方に回転させるとＬ２極の溝２に一致する高さとなる。
【００１４】
上段の回転プラグ端子３を上方に回転させてＮ極に接続させるようにするとともに、下段の回転プラグ端子３を上方に回転させてＬ１極に接続させるようにした状態では、下段の回転プラグ端子３の弾性接続部４１と上段に回転プラグ端子３のより線６０やより線接続部４３とが非常に近い状態となるので絶縁距離を確保するために、絶縁部材５はこれらの直線距離間に沿面空間距離を増すための絶縁部５８と絶縁部５９を底部５０ａとした箱状の絶縁部５０が設けられている。この絶縁部材５は一方の回転プラグ端子３の弾性接続部４１と他方の回転プラグ端子３の弾性接続部４１との直線距離間に沿面空間距離を増すために弾性接続部４１より幅方向の一方側に突出した絶縁部５４としている。このようにしたものでは隣り合う導電バーに接続した際に、各回転プラグ端子３間に必要な絶縁距離を確保することができる。しかも、底部５０ａと左右の側壁５０ｂと前後の側壁５０ｃからなる箱状の絶縁部５０としているので十分な絶縁距離を確保することができる。この箱状の絶縁部５０は底部５０ｂと少なくとも左右の側壁５０ｂをもつものであればよく、前後の側壁５０ｃは回転軸の大きさで不要となる場合もある。加えて図１１、１２に示すように、絶縁部材５には他方の回転プラグ端子３が入り込むための凹部５５を設けることによって、必要な絶縁距離を確保することができるとともに、さらに各回転プラグ端子３間の距離を小さくすることができ、全体寸法を小型化することができる。
【００１５】
また、回転プラグ端子３の絶縁部材５にはエッジに指を引っかけて操作できる回転操作部５６であるエッジ、コーナーエッジ、凸部が設けられているので、ケース１の前面板部１４から突設させた回転操作部５２を工具によって操作しなくても、指で直接絶縁部材５を回転させることができる。このエッジ、コーナーエッジ、凸部は少なくともいずれかあればよい。なお、回転操作部５６は絶縁部材５が円柱形状だと指の引っ掛かりがないので、絶縁部材５を非円柱形状として回転中心から距離が遠い部分としており、この実施形態の他にも絶縁部材５の側部に連続する溝や凹凸等を用いて表面に接触抵抗を増やすようにしてもよい。
【００１６】
この実施形態では、上側をＮ極、中間側をＬ１極、下側をＬ２極をしているので、１００Ｖが必要なときには上段の回転プラグ端子３を上側のＮ極と接続し、下側の回転プラグ端子３を中間側のＬ１極若しくは下側のＬ２極に接続すればよい。このため、１種類の配線用遮断器で、Ｌ１、Ｌ２の極に接続でき、極のバランスを取ることができる。また、２００Ｖ必要なときには、Ｌ１、Ｌ２極に接続することとなるので上段のプラグ端子３を中間位置に、下側の回転プラグ端子３を下側位置とする。このように２つの回転プラグ端子３を設けることによって、Ｌ１、Ｌ２に接続する極のバランスと１００Ｖ・２００Ｖの切り替えとを１つの配線用遮断器で容易に行うことができる。なお、導電バーをＮ極、Ｌ１極、Ｌ２極は上側、中間側、下側いずれでもよいし、導電バーは平板状のもののほか櫛状のものでもよい。
【００１７】
また、ケース１の上面には図１、２、３、４、５、６に示されるように、窓孔１５を設け、この窓孔１５に対応するように、上段の回転プラグ端子３の弾性接続部４１の上面と一番上のＮ極の導電バーの側端に１００Ｖ、２００Ｖ表示またはそれに対応する色表示をしておけば、図１５、１６に示されるように、１００Ｖ用としたときには上段の回転プラグ端子３が上側に位置して窓孔１５から弾性接続部４１の上面の１００Ｖ表示が見え、２００Ｖ用としたときには上段の回転プラグ端子３が中間側に位置して窓孔１５からＮ極の導電バーに刻印された２００Ｖ表示が見えるものである。
【００１８】
ケース１の前端部の片側には端子位置規制部材である回転式または着脱式のカバー９０が設けられている。このカバー９０は実施形態においては、垂直軸のまわりにケース１の外側に向かって回動自在とされ、係止部９２でワンタッチでケース１に係止されるものである。前記した各回転プラグ端子３は使用状態ではケース１の前端部にあるが位置変更のため回転経路がケース１の外側を通過するため、必ずケース１の外方へ飛び出した後再びケース１の前端部に戻ってくるように回転して移動する。
【００１９】
そして、この実施形態では、各回転プラグ端子３の回転は位置規制部材である回転式のカバー９０を開くことによって初めて許容されるようになっており、また各回転プラグ端子３がいずれかの定位置になければカバー９０が閉まらないようになっている。具体的にはカバー９０を閉じた状態ではその側面９１が各回転プラグ端子３の側面に密着するようになっているので、カバー９０をケース１の外側に回転させなければ各回転プラグ端子３を回転させることができず、また、各回転プラグ端子３が回転途中では位置規制部材である回転式のカバー９０を戻すことができない。また、プラグ端子が定位置から少しずれた状態であってもカバー９０を閉じることによって回転プラグ端子３を動かして定位置に強制的に位置させることができる。
【００２０】
この実施形態では、弾発部材としてより線６０の弾性力を利用するとともに回転プラグ端子３をごくわずかにガタをもたせて軸支させることにより、カバー９０を開いたときに回転プラグ端子３が自動的に回動して定位置から飛び出るようにしてある。具体的には約５〜３０°程度の角度であるが、特に角度を限定するものではない。こうしておけば、指が引っかかりやすく回転操作が容易である。加えて図１３、図１４に示すようにケース１には回転プラグ端子３を定位置に保持する傾斜した係合部１６が設けられている。具体的には絶縁部材５に設けた係合部５７と前記係合部１６とで定位置に保持しているが端子本体や他方のプラグ端子の絶縁部材５に係合部を設けてもよいし、端子本体４や絶縁部材５の接触面とケース１の接触面との面接触の摩擦抵抗によって定位置に保持させるようにしてもよい。こうしておけば、カバー９０を開いて少し指で力を加えるだけで前記したように回転プラグ端子３が自動的にわずかに回動して指が引っかかりやすくなり操作が容易になり、回動操作が終了すると装着感とともに保持されカバー９０が閉めやすくなる。なお、前記したカバー９０を開いたときに回転プラグ端子３が自動的に回動する構成と、ケース１に回転プラグ端子３を定位置に保持する係合部を設ける構成はどちらか一方であってもよいし、両方あってもよい。
【００２１】
図１４は回転プラグ端子３の回転操作部５２が軸支されるケース１の前面板部１４の部分拡大図で、この前面板部１４の孔１３は回転軸受けとなり、右半分１１ａと左半分１１ｂとを軸方向に位相をずらしている。このようなものでは、プラグ端子３を的確に軸支できるとともに、回転しやすいものである。また、ケース１の中間板部１１の孔１２は左ケース１ｂと右ケース１ａの両方によって形成され、前面板部１４の孔１３は左ケースのみで形成され、左ケース１ｂの開口側を前面側に位置させるようにずらせば、組み立てる際に、回転プラグ端子３を左ケース１ｂの開口側から押し込むと前面板部１４が撓んで取付け仮固定ができ、その後右ケース１ａを取付け、後ろ側の軸受けを構成させることができ、組み立てが容易になる。なお、この実施形態ではケース１の中間板部１１は右ケース１ａと左ケース１ｂとで形成されているが右ケース、中間ケース、左ケースの３ピースによるケースでは左または右ケースと中間ケースとで中間板部１１を形成することとなる。
【００２２】
図１５、図１６は１００−２００電圧表示の説明図である。図1、図２のように上段の回転プラグ端子３が上側に位置するときは端子本体４の弾性接続部４１の上面に刻印された１００Ｖ表示が窓孔１５から見え、上段の回転プラグ端子３が中間に位置するときは導電バーの上面に刻印された２００Ｖ表示が窓孔１５から見えるので１００Ｖか２００Ｖ接続されたか簡単に判別できる。
【００２３】
図１７から図２１は第２の実施形態を示すものである。この実施形態では第１の実施形態を違う部分を説明する。回転プラグ端子３は端子本体４と絶縁部５０を備える絶縁部材５とからなっていることは同様であるが、端子本体４は弾性板部４１から水平方向に延びるより線接続部４３が設けられており、絶縁部材５は、回転軸からより線接続部４３まで延設されて内部により線を配設する配線部と、一方の端子本体４のより線接続部４３と他方の端子本体４の弾性接続部４１との直線距離間に沿面空間距離を増すためにより線接続部４３の垂直方向に設けて絶縁機能をもたせた絶縁部５８を備えているものである。また、一方の端子本体４のより線６０と他方の端子本体４の弾性板部４１との直線距離間に沿面空間距離を増すためにより線６０の垂直方向に設けて絶縁機能をもたせた絶縁部５９を備えているので、各回転プラグ端子３間に必要な絶縁距離を確保しつつ、各回転プラグ端子３間の距離を小さくすることができ全体寸法を小型化することができる。
【００２４】
図２２から図２４は第３の実施形態を示す図である。この実施形態では、１００Ｖ専用のものとしてＬ１、Ｌ２極の切り替えを行うもので、上段のプラグ端子を上側に固定した固定プラグ端子３ａとして、下側の回転プラグ端子３のみを回転するようにしたものである。このようなものでは部品兼用のため前記した実施形態と同じケース１を用いており、上側の固定プラグ端子３ａの絶縁部材５の前面の溝をなくして操作不能とした回転操作部５２ａとするとともに、絶縁部材５に回転不能用当接部１０１を設けてケース１に嵌合させＮ極に接続する位置で固定されている。固定プラグ端子３ａを固定するとともに、他方の回転プラグ端子３の端子本体４の弾性接続部４１若しくはより線接続部４３若しくはより線６０とケース１の溝２を通過する回転プラグ端子３が接続されない導電バーとの直線距離間に沿面空間距離を増すための絶縁部５０が設けられている。このようなものでは必要な絶縁距離を確保することができるとともに、導電バーの間隔、強いてはケース１の溝２間の距離を小さくすることができ、回転プラグ端子３とケース１の溝２を通過する回転プラグ端子３が接続されない導電バーとの絶縁距離を確保することができ、全体寸法を小型化することができる。また、固定する一方の固定プラグ端子３ａの絶縁部材５と回転動作する他方の回転プラグ端子３の絶縁部材５とを違う色にしておけば、操作時に判別がしやすい。このときは固定する一方の固定プラグ端子３ａの絶縁部材５はケース１と同じ色にするのが好ましい。
【００２５】
図２５から図２７は第４の実施形態を示す図である。この実施形態ではＬ１極、Ｌ２極を切り替えるために回転する回転プラグ端子３と連動して動作するＬ１極、Ｌ２極の電圧極表示部材８０を設けている。この実施形態の電圧極表示部材８０は図示を省略した弾性部材で常に下方に付勢される棒状のもので上端に表示突出部８１があり、中段に第１係合部８２、下段に第２係合部８３がある。上からＮ極、Ｌ１極、Ｌ２極としたものでは下段の回転プラグ端子３を中側若しくは下側に回転させてＬ１極、Ｌ２極の切り替えを行うので、下段の回転プラグ端子３が下側にあるときには図２５に示すように上段の回転プラグ端子３と第１係合部８２が係止し電圧極表示部材８０の表示突出部８１がほぼ突出しなくなるようにし、下段の回転プラグ端子３が中間側にあるときには下段の回転プラグ端子３が第２係合部８３に係止され電圧極表示部材８０の表示突出部８１が窓孔から突出して見える。このようのものでは、簡単に電圧極の確認ができるものである。勿論突出の有無がＬ１極、Ｌ２極接続を意味する表示をケースや分電盤にしておく。
【００２６】
図２８から図３１は第５の実施形態を示す図である。この実施形態の第４の実施形態と同様にＬ１極、Ｌ２極の電圧極表示である。下段の回転プラグ端子３の側面に突起状の電圧極表示部材８０を設けている。この実施形態の電圧極表示部材８０は、上からＮ極、Ｌ１極、Ｌ２極としたものでは上段の回転プラグ端子３は上側に位置させ下段の回転プラグ端子３を中側若しくは下側に回転させてＬ１、Ｌ２の切り替えを行うので、下段の回転プラグ端子３が下側にあるときには図２８に示すように右側に位置し（カバー９０は省略してある）、図３０のように図面上ケース右側から突出し見えるようにし、下段のプラグ端子３が中間側にあるときには平面図としての図２９では右側（正面図からは左側となる）、図３１のようにケース左側から突出する。このようのものでは、簡単に電圧極の確認ができるものである。勿論ケース左右からの表示部材の突出の有無がＬ１極、Ｌ２極接続を意味する表示をケースや分電盤にしておく。
【００２７】
図３２から図３５は第６の実施形態を示す図である。この実施形態では１００Ｖ・２００Ｖの表示を切り替えるために回転するカバー９０の内側に、回転する上段の回転プラグ端子３と当接するか、しないかによって窓孔１５に表示、非表示される電圧表示部１１０を設けている。この電圧表示部１１０は弾性を備える板状のもので、図３３に示すように上段の回転プラグ端子３が上位置にあるときには電圧表示部１１０は曲げられ、窓孔１５からプラグ端子の１００Ｖ表示が見え、図３５に示すように上段の回転プラグ端子３が中間位置にあるときには、電圧表示部材１１０は延びた状態となり表面の色もしくは２００Ｖ表示が窓孔１５から見える。
【００２８】
この実施形態では電圧表示部１１０をカバー９０に設けたが、ケース１の中間板部１１と前面板部１４の間に設けてもよく、ケース１やカバー９０を別体に設ける以外に一体に設けてもよい。また、上からＮ極、Ｌ１極、Ｌ２極のものでは上段の回転プラグ端子３がＮ極に接続されるかＬ１極に接続されるかによって１００Ｖ−２００Ｖの切り替えを行うもので電圧表示をしており、上からＬ１極、Ｎ極、Ｌ２極のものでも上段のプラグ端子３がL1極とＮ極とで切り替えて１００Ｖ−２００Ｖの切り替えで電圧表示ができ、上からＬ２極、Ｌ１極、Ｎ極のものでは、上段の回転プラグ端子３がＬ２極とＬ１極とで切り替えて負荷のバランスを取るためにどちらの電圧極に接続されているかを表示する電圧極表示部としてもよい。さらに、この弾性を備える電圧表示若しくは電圧極表示部は下段の回転プラグ端子３がどの導電バーに接続されているかを検知して表示するようにしてもよい。
【００２９】
図３６は第７の実施形態を示す図である。この実施形態では１００Ｖ・２００Ｖの表示を切り替えるために、ケース１の前端部の上側の溝２の上部に切り欠いた表示孔と中間側の導電バーの下部に切り欠いた逃がし孔を設けるとともに、第１の実施形態のような端子本体４の一方側に設けた絶縁部材５から弾性接続部４１を挟んだ他方側へ延設した電圧表示部１２０を設けたものである。このようなものでは、下段の回転プラグ端子３が中間位置のＬ１極か下位置のＬ２極のいずれかに接続されようとも上段の回転プラグ端子３が上位置にあるときにはＮ極に接続されて１００Ｖ接続となり、図３６の右側の配線用遮断器のように、回転プラグ端子３の弾性接続部４１を挟んだ他方側へ延設した電圧表示部１２０がケース１の前端部の上側の溝の上部に切り欠いた表示孔から突出して１００Ｖ接続を示す表示をすることとなる。対して、上側の回転プラグ端子３が中間位置にあるときにはＬ１極に接続され下段の回転プラグ端子３は下位置のＬ２極に接続されて２００Ｖ接続となり、図３６の左側の配線用遮断器のように、回転プラグ端子３の弾性接続部４１を挟んだ他方側へ延設した電圧表示部１２０がケース１の前端部の中間側の導電バーの下部に切り欠いた逃がし孔から突出することとなるが、図のように上から見たときには電圧表示部１２０は導電バーに隠れて見えない。
この実施形態では電圧表示部１２０が見えたときには１００Ｖ、見えないときには２００Ｖとしてある。
【００３０】
図３７、図３８は第８の実施形態を示す図である。この実施形態では少なくとも上側と中間側の導電バーを図のようにクランク状に切り欠いておき、導電バーの突出した部分が回転プラグ端子３と接続されるようにしておき、加えて、回転プラグ端子３の回転操作部５２と電圧・電圧極表示部１３０が延設されケース１の前端部から突出するようにしてある。このようなものでは上段と下段の両方の回転プラグ端子３に電圧・電圧極表示部１３０を設けた場合、上段の回転プラグ端子３が中間側に位置し、下段の回転プラグ端子３が下側に位置したときは２００Ｖ接続となり、図で示す右側の配線用遮断器のように上段、下段の回転プラグ端子３の電圧・電圧極表示部１３０は両方ともケース１の左側に現れる。
【００３１】
次に上段の回転プラグ端子３が上側に位置し、下段の回転プラグ端子３が中間側に位置したときは１００ＶのＬ１極接続となり、図で示す中央の配線用遮断器のように上段、下段の回転プラグ端子３の電圧・電圧極表示部１３０は両方ともケース１の右に現れる。
次に上段の回転プラグ端子３が上側に位置し、下段の回転プラグ端子３が下側に位置したときは１００ＶのＬ２極接続となり、図で示す左側の配線用遮断器のように上段の回転プラグ端子３の電圧・電圧極表示部１３０はケース1の右側に現れ、下段の回転プラグ端子３の電圧・電圧極表示部１３０はケース１の左側に現れ、両方ともに見えるようになる。
【００３２】
また、図示は省略するが、この表示の部分を上段の回転プラグ端子３のみに設けた場合には電圧表示部となり、この上段の回転プラグ端子３が上側に位置したときには電圧表示部はケース１の右側に現れて１００Ｖの表示となり、中間側に位置したときには電圧表示部はケース１の左側に現れて２００Ｖの表示となる。
【００３３】
また、図示は省略するが、上段のプラグ端子を固定プラグ端子３ａとし、下段のプラグ端子のみを回転プラグ端子３としたものでは、１００Ｖ専用となるがこの下段の回転プラグ端子３のみに表示を設けた場合には、電圧極表示部となり、この下段の回転プラグ端子３が中間側に位置したときには電圧極表示部はケース１の右側に現れてＬ１極接続の表示となり、下側に位置したときには電圧表示部はケース１の左側に現れてＬ２極接続の表示となる。なお、電圧・電圧極表示部１３０は回転操作部５２から突出したものなので手で操作する回転操作部５６でもある。
【００３４】
このほかにも１００Ｖ・２００Ｖの電圧表示は次のようにすることもできる。図示は省略するが、カバー９０の内側の中間位置導電バーが通過する溝の上に、回転プラグ端子３の回転軸と同方向の軸部として上方へ延設された揺動する電圧表示部を設ける。この電圧表示部はカバー９０が閉状態のときに上段の回転プラグ端子３方向へ常に付勢するように一体または別体の弾性部が設けられ、上側側部が回転プラグ端子３の当接部となり、上端部がケースの上面に設けられた左右方向の長方形状の窓孔から見認できるようにしておく。そして、この長孔の外側方向半分近傍に１００Ｖ表示、内側方向半分近傍に２００Ｖ表示をする。このようなものでは、上段の回転プラグ端子３が上側に位置するときには回転プラグ端子３の側部が電圧表示部の上側側部の当設部を押圧し弾性に抗して上部は外に向く。その際、上端部はケースの長方形状の窓孔の外側方向半分に位置し１００Ｖを示す。また、上段の回転プラグ端子３が中間側に位置するときには上位置に回転プラグ端子３がないので電圧表示部の上部はそのまま内側に付勢されて向かう。その際、上端部はケースの長方形状の窓孔の内側方向半分に位置し２００Ｖを示す。
【００３５】
以上に説明したように、ケース１前端部に回転することによって上下方向位置変更可能な回転プラグ端子３を設け、この回転プラグ端子３は端子本体４と、端子本体４の弾性接続部４１より幅方向の少なくとも一方側に突出する絶縁部５４を備えた絶縁部材５とからなることを特徴とするものでは、回転による上下方向動作可能なプラグイン式の配線用遮断器の各プラグイン端子間の絶縁距離や、回転プラグ端子３とケース１の溝２を通過する回転プラグ端子３が接続されない導電バーとの間の絶縁距離を確保しつつ、小型化することができる。
【００３６】
ケース１前端部に回転することによって上下位置変更可能な回転プラグ端子３を設け、この回転プラグ端子３は端子本体４と、端子本体４のより線接続部４３の垂直方向に設けた絶縁部５８を備えた絶縁部材５とからなることを特徴とするものでは、回転による上下方向動作可能なプラグイン式の配線用遮断器の各プラグイン端子間の絶縁距離や、回転プラグ端子３とケース１の溝２を通過する回転プラグ端子３が接続されない導電バーとの間の絶縁距離を確保しつつ、小型化することができる。
【００３７】
ケース１前端部に回転することによって上下位置変更可能な回転プラグ端子３を設け、この回転プラグ端子３は端子本体４と、端子本体４のより線接続部４３に接続されたより線６０の垂直方向に設けた絶縁部５９を備えた絶縁部材５とからなることを特徴とするものでは、回転による上下方向動作可能なプラグイン式の配線用遮断器の各プラグイン端子間の絶縁距離や、回転プラグ端子３とケース１の溝２を通過する回転プラグ端子３が接続されない導電バーとの間の絶縁距離を確保しつつ、小型化することができる。
【００３８】
ケース１前端部に固定された固定プラグ端子３ａと、ケース１前端部に回転することによって上下位置変更可能な回転プラグ端子３を設け、回転プラグ端子３は端子本体４と、端子本体４の弾性接続部４１若しくはより線接続部４３若しくはより線６０とケース１の溝２を通過する回転プラグ端子３が接続されない導電バーとの直線距離間に設けた絶縁部５０を備えた絶縁部材５とからなることを特徴とするものでは、回転による上下方向動作可能なプラグイン式の配線用遮断器の回転プラグイン端子３と、ケース１の溝２を通過する回転プラグ端子３が接続されない導電バーとの間の絶縁距離を確保しつつ、小型化することができる。
【００３９】
ケース１前端部に回転させることにより上下位置変更可能な回転プラグ端子３を設けるとともに該回転プラグ端子３が端子本体４と、底部５０ａと少なくとも左右の側壁５０ｂをもつ箱状の絶縁部材５とからなることを特徴としたものでは、回転による上下方向動作可能なプラグイン式の配線用遮断器の各プラグイン端子間の絶縁距離や、回転プラグ端子３とケース１の溝２を通過する回転プラグ端子３が接続されない導電バーとの間の絶縁距離を確保しつつ、小型化することができる。
【００４０】
ケース１前端部に固定される一方の固定プラグ端子３ａは、絶縁部材５に回転不能用当接部１０１を設けてケース１に嵌合させて固定したことを特徴とするものでは、同じケース１を用いることができ兼用部品によるコストダウンを図ることができる。
【００４１】
回転プラグ端子３は、端子本体４に設けた係合部４４と絶縁部材５に設けた被係合部５３とが係合して組み付けることを特徴とするものでは、ワンタッチで端子本体４と絶縁部材５を組み付けて回転プラグ端子３とすることができ、生産性を向上させることができる。
【００４２】
回転プラグ端子３の絶縁部材５は、他方の回転プラグ端子３の弾性接続部４１が入り込むための凹部５５を設けたことを特徴とするものでは、必要な絶縁距離を確保することができるとともに、さらに各回転プラグ端子３間の距離を小さくすることができ、全体寸法を小型化することができる。
【００４３】
回転プラグ端子３は前後両方に回転軸があることを特徴とするものでは、強固に軸支することができ、円滑に回転させることができる。
【００４４】
ケース１の前面板部１４の孔１３は、右半分１１ａと左半分１１ｂとを軸方向にずらしたことを特徴とするものでは、回転プラグ端子３を的確に軸支できるとともに回転しやすいものとなり、しかも、抜き型を用いる必要がないので金型の構造が簡素で安価になるうえに、抜き型の作動による時間的ロスがないので成形速度を低下させることがないので生産性が向上し製造コストを低減できる。
【００４５】
より線接続部４３は弾性板部４１に対して垂直方向に設けたことを特徴とするものでは、回転プラグ端子３が回転したときに弾性接続部４１の左右のスペースが不要なので、横幅も広くならず有利である。
【００４６】
絶縁部材５には指を引っかけて操作する回転操作部５６を設けたことを特徴とするものでは、工具等を用いることなく指で直接絶縁部材５を回転させることができる。
【００４７】
ケース１に回転プラグ端子３の端子位置規制部材である回転式または着脱式のカバーを設けたことを特徴とするものでは、回転プラグ端子３が回動することがなく端子位置を適正位置に維持できる。
【００４８】
ケース１に回転プラグ端子３の端子位置規制部材である回転式のカバー９０を設けるとともに、このカバー９０を開いたときに弾発部材により回転プラグ端子３が自動的に少し回動することを特徴とするものでは、カバー９０に指が引っかけやすくなり開放操作が容易である。
【００４９】
弾発部材をより線６０であることを特徴とするものでは、カバー９０に別の弾発部材が不要となり構造が複雑になることがないうえに安価なものとなる。
【００５０】
ケース１に回転プラグ端子３を定位置に保持する係合部１６を設けたことを特徴とするものでは、回動操作が終了すると装着感が得られるとともに保持されカバー９０が閉めやすくなる。
【００５１】
固定プラグ端子３ａと回転プラグ端子３との色を異ならせたものでは、操作時に判別がしやすく間違えることがない。
【００５２】
ケース１または回転プラグ端子３の端子位置規制部材である回転式のカバー９０に、一体または別体の弾性を備える電圧極表示部または電圧表示部を設けたものでは、的確に電圧極または電圧を知ることができ、接続を間違えることがない。
【００５３】
【発明の効果】
以上に説明したように本発明は、ケース前端部に回転させることにより上下方向位置変更可能な回転プラグ端子を設けるとともに該回転プラグ端子が端子本体と、該端子本体の弾性接続部より幅方向の少なくとも一方側に膨出させて絶縁機能をもたせた絶縁部を備えた絶縁部材とからなることを特徴とするものでは、回転による上下方向動作可能なプラグイン式の配線用遮断器の回転プラグ端子間の絶縁距離を確保しつつ、小型化することができる。
また、ケース前端部に回転させることにより上下方向位置変更可能な回転プラグ端子を設けるとともに該回転プラグ端子が端子本体と、該端子本体のより線接続部の垂直方向に設けて絶縁機能をもたせた絶縁部を備えた絶縁部材とからなることを特徴とするものでは、回転による上下方向動作可能なプラグイン式の配線用遮断器の回転プラグ端子間の絶縁距離を確保しつつ、小型化することができる。
また、ケース前端部に回転させることにより上下方向位置変更可能な回転プラグ端子を設けるとともに該回転プラグ端子が端子本体と、該端子本体のより線接続部に接続されて回転プラグ端子３の回転軸方向に延びるより線の垂直方向に設けて絶縁機能をもたせた絶縁部を備えた絶縁部材とからなることを特徴とするものでは、回転による上下方向動作可能なプラグイン式の配線用遮断器の回転プラグ端子間の絶縁距離を確保しつつ、小型化することができる。
また、ケース前端部に固定プラグ端子を固定するとともにケース前端部に回転させることにより上下方向位置変更可能な回転プラグ端子を設け、該回転プラグ端子は端子本体と、該端子本体の弾性接続部若しくはより線接続部若しくはより線とケースの溝を通過する回転プラグ端子が接続されない導電バーとの間に設けて絶縁機能をもたせた絶縁部を備えた絶縁部材とからなることを特徴とするものでは、回転による上下方向動作可能なプラグイン式の配線用遮断器の回転プラグ端子とケースの溝を通過する回転プラグ端子が接続されない導電バーとの間の絶縁距離を確保しつつ、小型化することができる。
ケース前端部に回転させることにより上下位置変更可能な回転プラグ端子を設けるとともに該回転プラグ端子が端子本体と、底部と少なくとも左右の側壁をもつ箱状の絶縁部材とからなることを特徴とするものでは、回転による上下方向動作可能なプラグイン式の配線用遮断器の回転プラグ端子間の絶縁距離や、回転プラグ端子とケースの溝を通過する回転プラグ端子が接続されない導電バーとの間の絶縁距離を確保しつつ、小型化することができる。
従って、本発明は従来の問題点を解決した配線用遮断器として業界の発展に寄与するところ大なものである。
【図面の簡単な説明】
【図１】第１の実施形態において回転プラグ端子を上段と中段に配置した状態を示す斜視図である。
【図２】カバーを開いた状態を示す斜視図である。
【図３】カバーを開いて中段の回転プラグ端子を下段へ移動中の状態を示す斜視図である。
【図４】中段の回転プラグ端子を下段へ移動中の状態を示す斜視図である。
【図５】下段への移動を完了してカバーを閉めた状態を示す斜視図である。
【図６】第１の実施形態において、回転プラグ端子を中段と下段に配置した状態を示す斜視図である。
【図７】回転プラグ端子の前面と後面を示す斜視図である。
【図８】回転プラグ端子を端子本体と絶縁部材に分離した状態の左後面を示す斜視図である。
【図９】回転プラグ端子を端子本体と絶縁部材に分離した状態の左前面を示す斜視図である。
【図１０】回転プラグ端子を端子本体と絶縁部材に分離した状態の右前面を示す斜視図である。
【図１１】回転プラグ端子の底面を示す斜視図である。
【図１２】回転プラグ端子を上下に並列させた状態を示す側面図である。
【図１３】回転プラグ端子をケースに組み込んだ状態を示す一部切欠側面図である。
【図１４】ケースの前面板部に形成された孔を示す一部切欠斜視図である。
【図１５】配線用遮断器が接続される導電バーの極に応じる電圧を表示する弾性接続部を示す平面図である。
【図１６】各配線用遮断器が接続される導電バーの極に応じる電圧を表示する弾性接続部を示す平面図である。
【図１７】第２の実施形態の回転プラグ端子を示す斜視図である。
【図１８】第２の実施形態の回転プラグ端子を端子本体と絶縁部材に分離した状態の左後面を示す斜視図である。
【図１９】第２の実施形態の回転プラグ端子を端子本体と絶縁部材に分離した状態の右前面を示す斜視図である。
【図２０】第２の実施形態の回転プラグ端子を上段と下段に配置させた状態を示す正面図である。
【図２１】第２の実施形態の回転プラグ端子を上段と中段に配置させた状態を示す正面図である。
【図２２】第３の実施形態の回転プラグ端子を一方のケースに組み込んだ状態を示す斜視図である。
【図２３】第３の実施形態のケースを示す一部切欠斜視図である。
【図２４】第３の実施形態の回転プラグ端子と導電バーを示す正面図である。
【図２５】第４の実施形態を示す正面図である。
【図２６】第４の実施形態を状態を異ならせて示す正面図である。
【図２７】第４の実施形態の回転プラグ端子とカバーを分解して示す斜視図である。
【図２８】第５の実施形態を示す斜視図である。
【図２９】第５の実施形態を導電バーに接続させた状態を示す一部切欠平面図である。
【図３０】第５の実施形態の正面図である。
【図３１】第５の実施形態を状態を異にして示す正面図である。
【図３２】第６の実施形態の回転プラグ端子を示す斜視図である。
【図３３】第６の実施形態の回転プラグ端子とカバーを分解して示す斜視図である。
【図３４】第６の実施形態を示す一部切欠正面図である。
【図３５】第６の実施形態を状態を異にして示す一部切欠正面図である。
【図３６】第７の実施形態を示す一部切欠正面図である。
【図３７】第８の実施形態を示す一部切欠正面図である。
【図３８】第８の実施形態の回転プラグ端子を示す斜視図である。
【符号の説明】
１  ケース
２  溝
３  回転プラグ端子
3a  固定プラグ端子
４  端子本体
５  絶縁部
11a  右半分
11b  左半分
13  孔
14  前面板部
16  係合部
41  弾性接続部
43  より線接続部
44  係合部
50  絶縁部
50a  底部
50b  左右の側壁
53  被係合部
54  絶縁部
55  凹部
58  絶縁部
56  回転操作部
59  絶縁部
60  より線
90  カバー
101  回転不能当接部
【図１】
0004089946.tif 000002
【図２】
0004089946.tif 000003
【図３】
0004089946.tif 000004
【図４】
0004089946.tif 000005
【図５】
0004089946.tif 000006
【図６】
0004089946.tif 000007
【図７】
0004089946.tif 000008
【図８】
0004089946.tif 000009
【図９】
0004089946.tif 000010
【図１０】
0004089946.tif 000011
【図１１】
0004089946.tif 000012
【図１２】
0004089946.tif 000013
【図１３】
0004089946.tif 000014
【図１４】
0004089946.tif 000015
【図１５】
0004089946.tif 000016
【図１６】
0004089946.tif 000017
【図１７】
0004089946.tif 000018
【図１８】
0004089946.tif 000019
【図１９】
0004089946.tif 000020
【図２０】
0004089946.tif 000021
【図２１】
0004089946.tif 000022
【図２２】
0004089946.tif 000023
【図２３】
0004089946.tif 000024
【図２４】
0004089946.tif 000025
【図２５】
0004089946.tif 000026
【図２６】
0004089946.tif 000027
【図２７】
0004089946.tif 000028
【図２８】
0004089946.tif 000029
【図２９】
0004089946.tif 000030
【図３０】
0004089946.tif 000031
【図３１】
0004089946.tif 000032
【図３２】
0004089946.tif 000033
【図３３】
0004089946.tif 000034
【図３４】
0004089946.tif 000035
【図３５】
0004089946.tif 000036
【図３６】
0004089946.tif 000037
【図３７】
0004089946.tif 000038
【図３８】
0004089946.tif 000039